【手続補正書】
【提出日】平成23年8月18日(2011.8.18)
【手続補正１】
【補正対象書類名】特許請求の範囲
【補正対象項目名】全文
【補正方法】変更
【補正の内容】
【特許請求の範囲】
【請求項１】
複数のレンズを含み、映像光をスクリーンに斜めに拡大投写する斜投写光学系を備え、
前記スクリーンは、前記映像光の入射側にフレネルレンズを備え、
前記フレネルレンズの画面垂直方向の断面形状は、当該画面垂直方向の位置に応じて変化し、
前記フレネルレンズの画面垂直方向の断面は、前記映像光を屈折作用により映像観視側に出射する第１のレンズ領域と、前記映像光を全反射により映像観視側に出射する第２のレンズ領域からなり、
前記第１及び第２のレンズ領域の比率は、画面下端から上端に向かって変化し、
前記フレネルレンズは、前記映像光の出射側に、光拡散作用を有する拡散材を備え、
前記スクリーンにおける映像表示領域の対角寸法は１．３インチ以下、又は、当該映像表示領域の有効画素数は７８００００画素以上である、投写ボード装置。
【請求項２】
前記複数のレンズの周辺光量比は、６０％以上である、請求項１記載の投写ボード装置。
【請求項３】
前記斜投写光学系は、前記複数のレンズから出射された光を反射する曲面ミラーと、当該曲面ミラーが反射した光を前記スクリーンへ導く平面ミラーを備え、
前記平面ミラーは、前記スクリーンに対して略平行に配置される、請求項１又は２記載の投写ボード装置。
【請求項４】
複数のレンズを含み、映像光をスクリーンに斜めに拡大投写する斜投写光学系を備え、
前記スクリーンは、前記映像光の入射側にフレネルレンズを備え、
前記フレネルレンズの画面垂直方向の断面形状は、当該画面垂直方向の位置に応じて変化し、
前記フレネルレンズは、前記映像光の出射側に、光拡散作用を有する拡散材を備え、
前記複数のレンズのうち、前記スクリーンに最も近い位置に配置された第１のレンズを通過する映像光束の有効領域は、前記第１のレンズを含まない複数のレンズにより共有される光軸を含まず、
前記第１のレンズと前記スクリーンまでの間隔をＬ、当該スクリーンの対角寸法をＤとすると、１．７５＜Ｄ／Ｌを満足する、投写ボード装置。
【請求項５】
前記斜投写光学系は、前記複数のレンズから出射された光を反射する曲面ミラーと、当該曲面ミラーが反射した光を前記スクリーンへ導く平面ミラーを備え、
前記曲面ミラーの画面垂直方向有効領域上端は、前記平面ミラーの画面垂直方向有効領域下端より上に位置する、請求項４記載の投写ボード装置。
【請求項６】
複数のレンズを含み、映像光をスクリーンに斜めに拡大投写する斜投写光学系と、
前記スクリーンを画面垂直方向に移動可能な移動機構を備え、
前記複数のレンズのうち、前記スクリーンに最も近い位置に配置された第１のレンズを通過する映像光束の有効領域は、前記第１のレンズを含まない複数のレンズにより共有される光軸を含まず、
前記第１のレンズと前記スクリーンまでの間隔をＬ、当該スクリーンの対角寸法をＤとすると、１．７５＜Ｄ／Ｌを満足し、
前記スクリーンは、前記映像光の出射側に、光拡散作用を有する拡散材を含む塗料を塗布されている、投写ボード装置。
【請求項７】
前記斜投写光学系は、前記複数のレンズから出射された光を反射する曲面ミラーと、当該曲面ミラーが反射した光を前記スクリーンへ導く平面ミラーを備え、
前記曲面ミラーの画面垂直方向有効領域上端は、前記平面ミラーの画面垂直方向有効領域下端より上に位置する、請求項６記載の投写ボード装置。
【請求項８】
複数のレンズを含み、映像光をスクリーンに斜めに拡大投写する斜投写光学系と、
前記スクリーンを画面垂直方向に移動可能な移動機構を備え、
前記複数のレンズのうち、前記スクリーンに最も近い位置に配置された第１のレンズを通過する映像光束の有効領域は、前記第１のレンズを含まない複数のレンズにより共有される光軸を含まず、
前記第１のレンズと前記スクリーンまでの間隔をＬ、当該スクリーンの対角寸法をＤとすると、１．７５＜Ｄ／Ｌを満足し、
前記スクリーンは、前記映像光の入射側に、画面垂直方向の位置に応じて断面形状が変化するフレネルレンズを備え、
当該フレネルレンズの画面垂直方向の断面は、前記映像光を映像観視側に出射する第１のレンズ領域と、前記映像光を全反射により映像観視側に出射する第２のレンズ領域からなり、
前記第１及び第２のレンズ領域の比率は、画面下端から上端に向かって変化し、
前記フレネルレンズは、映像観視側に光拡散作用を有する拡散材を備える、投写ボード装置。
【請求項９】
前記斜投写光学系は、前記複数のレンズから出射された光を反射する曲面ミラーと、当該曲面ミラーが反射した光を前記スクリーンへ導く平面ミラーを備え、
前記曲面ミラーの画面垂直方向有効領域上端は、前記平面ミラーの画面垂直方向有効領域下端より上に位置する、請求項８記載の投写ボード装置。
【請求項１０】
複数のレンズを含み、映像光をスクリーンに斜めに拡大投写する斜投写光学系と、
前記スクリーンを画面垂直方向に移動可能な移動機構を備え、
前記スクリーンにおける映像表示領域の対角寸法は１．３インチ以下、又は、当該映像表示領域の有効画素数は７８００００画素以上であり、
前記斜投写光学系は、前記複数のレンズから出射された光を反射する曲面ミラーと、当該曲面ミラーが反射した光を前記スクリーンへ導く平面ミラーを備え、
前記スクリーンは、前記映像光の入射側に、画面垂直方向の位置によって断面形状が変化するフレネルレンズを備え、
当該フレネルレンズの画面垂直方向の断面は、前記映像光を屈折作用により映像観視側に出射する第１のレンズ領域と、前記映像光を全反射により映像観視側に出射する第２のレンズ領域からなり、
前記第１及び第２のレンズ領域の比率は、画面下端から上端に向かって変化し、
前記フレネルレンズは、映像観視側に光拡散作用を有する拡散材を備える、投写ボード装置。
【請求項１１】
複数のレンズを含み、映像光をスクリーンに斜めに拡大投写する斜投写光学系と、
前記複数のレンズの物面有効領域の対角寸法又は面積に対して、略９０％以下の有効映像表示領域を有する映像表示素子と、を備え、
前記斜投写光学系は、前記複数のレンズから出射された光を反射する曲面ミラーと、前記曲面ミラーが反射した光を前記スクリーンへ導く平面ミラーを備え、
前記スクリーンは、前記映像光の入射側に、画面垂直方向の位置に応じて断面形状が変化するフレネルレンズを備え、
当該フレネルレンズの画面垂直方向の断面は、前記映像光を屈折作用により映像観視側に出射する第１のレンズ領域と、前記映像光を全反射により映像観視側に出射する第２のレンズ領域からなり、
前記第１及び第２のレンズ領域の比率は、画面下端から上端に向かって変化し、
前記フレネルレンズは、映像観視側に光拡散作用を有する拡散材を備える、投写ボード装置。
【請求項１２】
前記スクリーンを画面垂直方向に移動可能な移動機構を備える、請求項１１記載の投写ボード装置。
【請求項１３】
複数のレンズを含み、映像光をスクリーンに斜めに拡大投写する斜投写光学系と、
前記複数のレンズの物面有効領域の対角寸法又は面積に対して略７０％以下の有効映像表示領域を有する映像表示素子を備えた投写型映像表示装置を備え、
前記斜投写光学系は、前記複数のレンズから出射された光を反射する曲面ミラーと、前記スクリーンに略平行に配置された平面ミラーを備え、
前記スクリーンは、前記映像光の入射側に、画面垂直方向の位置に応じて断面形状が変化するフレネルレンズを備え、
当該フレネルレンズの画面垂直方向の断面は、前記映像光を屈折作用により映像観視側に出射する第１のレンズ領域と、前記映像光を全反射により映像観視側に出射する第２のレンズ領域からなり、
前記第１及び第２のレンズ領域の比率は、画面下端から上端に向かって変化し、
前記フレネルレンズは、映像観視側に光拡散作用を有する拡散材を備え、
前記投写型映像表示装置は、前記スクリーンの外形中心に対して画面水平方向に所定量シフトして配置される、投写ボード装置。
【請求項１４】
前記スクリーンを画面垂直方向に移動可能な移動機構を備える、請求項１３記載の投写ボード装置。
【請求項１５】
複数のレンズを含み、映像光をスクリーンに斜めに拡大投写する斜投写光学系と、
前記複数のレンズの物面有効領域の対角寸法又は面積に対して略９０％以下の有効映像表示領域を有する映像表示素子を備えた複数台の投写型映像表示装置を備え、
前記斜投写光学系は、前記複数のレンズから出射される光を反射する曲面ミラーを備え、
前記複数のレンズのうち、前記スクリーンに最も近い位置に配置された第１のレンズを通過する映像光束の有効領域は、前記第１のレンズを含まない複数のレンズにより共有される光軸を含まず、
前記第１のレンズと前記スクリーンまでの間隔をＬ、前記スクリーンの対角寸法をＤとすると、１．７５＜Ｄ／Ｌを満足し、
前記スクリーンは、光拡散作用を有する拡散材を含む塗料で塗布されている、投写ボード装置。
【請求項１６】
前記投写型映像表示装置と前記スクリーンを一体化する連結手段と、
前記スクリーンの画面垂直方向に移動可能な移動機構を備える、請求項１５記載の投写ボード装置。
【請求項１７】
複数のレンズを含み、映像光をスクリーンに斜めに拡大投写する斜投写光学系と、
前記複数のレンズの物面有効領域の対角寸法又は面積に対して略７０％以下の有効映像表示領域を有する映像表示素子を備えた投写型映像表示装置を備え、
前記投写型映像表示装置は、前記スクリーンの外形中心に対して、画面水平方向、又は、画面垂直方向、又は、画面水平方向と画面垂直方向の双方に所定量シフトして配置され、
前記斜投写光学系は、前記複数のレンズから出射された光を反射する曲面ミラーを備え、
前記複数のレンズのうち、前記スクリーンに最も近い位置に配置された第１のレンズを通過する映像光束の有効領域は、前記第１のレンズを含まない複数のレンズにより共有される光軸を含まず、
前記第１のレンズと前記スクリーンまでの間隔をＬ、前記スクリーンの対角寸法をＤとすると、１．７５＜Ｄ／Ｌを満足し、
前記スクリーンは、光拡散作用を有する拡散材を含む塗料を塗布されている、投写ボード装置。
【請求項１８】
前記投写型映像表示装置と前記スクリーンを一体化する連結手段と、
前記スクリーンの画面垂直方向に移動可能な移動機構を備える、請求項１７記載の投写ボード装置。
【請求項１９】
映像光をスクリーンに斜めに拡大投写する斜投写光学系を備え、
当該斜投写光学系は、複数のレンズと、当該複数のレンズから出射された光を反射する曲面ミラーを備え、
前記スクリーンにおける映像表示有効領域の対角寸法が１．３インチ以下、又は、当該映像表示領域の有効画素数が９８００００画素以上であり、
映像入力部及び音声入力部を更に備え、
前記複数のレンズのうち、前記スクリーンに最も近い位置に配置された第１のレンズを通過する映像光束の有効領域は、前記第１のレンズを含まない複数のレンズにより共有される光軸を含まず、
前記第１のレンズと前記スクリーンまでの間隔をＬ、前記スクリーンの対角寸法をＤとすると、１．７５＜Ｄ／Ｌを満足し、
前記スクリーンは、光拡散作用を有する拡散材を含む塗料を塗布されており、
投写型映像表示装置は、前記スクリーンと、連結手段により一体化されており、
前記画像入力部及び前記音声入力部は、前記スクリーン上端部に配置される、投写ボード装置。
【請求項２０】
前記映像入力部から得られた映像信号をアスペクト比４：３の映像信号に変える手段と、映像表示領域の寸法と表示位置に合わせて映像をスケーリングする手段を備える、請求項１９記載の投写ボード装置。
【請求項２１】
映像光の入射側に、画面垂直方向の位置によって断面形状が変化するリニアフレネル形状のフレネルレンズを備え、
前記フレネルレンズは、厚さが３００μｍ以下のシート基材上にロール金型により成形された後、紫外線もしくは可視光もしくは電磁波を照射することで硬化形成され、
当該フレネルレンズの画面垂直方向の断面は、前記映像光を屈折作用により映像観視側に出射する第１のレンズ領域と、前記映像光を全反射により映像観視側に出射する第２のレンズ領域からなり、
前記第１及び第２のレンズ領域の比率は、画面下端から上端に向かって変化し、
前記フレネルレンズは、光拡散作用を有する拡散材を含む拡散層及びスクリーン基材とを接着又は粘着により固定される、スクリーン。
【請求項２２】
前記スクリーン基材の厚さをｔ、前記スクリーンの対角寸法をＤとすると、１／４００＜ｔ／Ｄ＜１／２００を満足する、請求項２１記載のスクリーン。
【請求項２３】
前記スクリーンのスクリーンゲインをＧs、前記スクリーンの透過率をＴｓとすると、０．６＜Ｇｓ＜２．０、及び、０．３＜Ｔｓ＜１．０を満足する、請求項２１記載のスクリーン。
【請求項２４】
前記平面ミラーは、前記スクリーンに対して略平行に配置される、請求項５又は７又は９記載の投写ボード装置。